(57)【要約】      （修正有）【課題】フィルタの装着の有無を検出し、フィルタの帯域幅の種類を判別する。【解決手段】フィルタ検出装置は、所定の帯域幅の第１フィルタと第１フィルタより広い帯域幅の第２フィルタの何れか１つを装着し得るオプションフィルタ装着部を備え、オプションフィルタ装着部に装着されたフィルタを通過した信号を増幅する増幅部と、増幅された信号の信号レベルを検出するレベル検出部とを備えた増幅回路におけるフィルタ検出装置であって、第１フィルタの帯域幅外であって且つ第２フィルタの帯域内の第１周波数の信号を増幅部に入力する第１信号入力手段と、第１周波数の信号が入力されたときにレベル検出部で検出された信号レベルが、所定の第１基準信号レベルより小さいときには前記第１フィルタが装着されていると判定し、検出された信号レベルが、所定の基準信号レベル以上のときには第２フィルタが装着されていると判定する判定手段とを備える。【選択図】図１
2010154423.tif 000002
【特許請求の範囲】
【請求項１】
所定の帯域幅の第１フィルタと第１フィルタより広い帯域幅の第２フィルタの何れか１つを装着し得るオプションフィルタ装着部を備え、前記オプションフィルタ装着部に装着されたフィルタを通過した信号を増幅する増幅部と、前記増幅された信号の信号レベルを検出するレベル検出部とを備えた増幅回路におけるフィルタ検出方法であって、
第１フィルタの帯域幅外であって且つ第２フィルタの帯域内の第１周波数の信号を前記増幅部に入力し、
前記第１周波数の信号が入力されたときに前記レベル検出部で検出された信号レベルが、所定の第１基準信号レベル以下のときには前記第１フィルタが装着されていると判定し、前記検出された信号レベルが、所定の第１基準信号レベルより大きいときには前記第２フィルタが装着されていると判定することを特徴とするフィルタ検出方法。
【請求項２】
所定の帯域幅の第１フィルタと第１フィルタより広い帯域幅の第２フィルタの何れか１つを装着し得るオプションフィルタ装着部を備え、前記オプションフィルタ装着部に装着されたフィルタを通過した信号を増幅する増幅部と、前記増幅された信号の信号レベルを検出するレベル検出部とを備えた増幅回路におけるフィルタ検出装置であって、
第１フィルタの帯域幅外であって且つ第２フィルタの帯域内の第１周波数の信号を前記増幅部に入力する第１信号入力手段と、
前記第１周波数の信号が入力されたときに前記レベル検出部で検出された信号レベルが、所定の第１基準信号レベル以下のときには前記第１フィルタが装着されていると判定し、前記検出された信号レベルが、所定の第１基準信号レベルより大きいときには前記第２フィルタが装着されていると判定する判定手段と、
を備えていることを特徴とするフィルタ検出装置。
【請求項３】
請求項２に記載のフィルタ検出装置に、さらに、
第１フィルタの帯域幅内の第２周波数の信号を前記増幅部に入力する第２信号入力手段と、
前記第２周波数の信号が入力されたときに前記レベル検出部で検出された信号レベルが、所定の第２基準信号レベルより小さいときには前記第１、第２フィルタの何れも装着されていないと判定し、前記検出された信号レベルが、所定の第２基準信号レベル以上のときには前記第１、第２フィルタの何れかが装着されていると判定する第２判定手段と、
を備えていることを特徴とするフィルタ検出装置。
【請求項４】
前記増幅回路は、周波数変換部を備えた中間周波回路であり、
前記増幅部は、中間周波増幅部であることを特徴とする請求項２、３の何れか１項に記載のフィルタ検出装置。
【請求項５】
前記第１基準信号レベルは、前記第２周波数の信号が入力されたときに前記レベル検出部で検出された信号レベルから所定の値を減じた値であることを特徴とする請求項３、４の何れか１項に記載のフィルタ検出装置。
【発明の詳細な説明】
【技術分野】
【０００１】
本発明は、周波数ヘテロダイン方式の無線通信機における中間周波数信号（以後、単に「ＩＦ信号」という。）を濾波する中間周波フィルタ（以後、単に「ＩＦフィルタ」という。）やルーフィングフィルタ等の各種のフィルタ（以後、単に「フィルタ」という。）の状態や特性等を自動的に認識する機能に関するものである。
【背景技術】
【０００２】
最近のＩＦフィルタはＤＳＰによって構成されているので、以前のように標準装備のフィルタ以外に、使用者が装着し得る構成のフィルタ、オプションフィルタが用いられることは少なくなってきている。
以前のオプションフィルタとしては、ＣＷナローフィルタ等が用いられていたが、それらのオプションフィルタを実装した場合は、実装した使用者が、無線通信機の設定機能を用いて、どんな特性のフィルタを装着したかということを、当該フィルタの製品名などで設定し、設定された情報に基づいて無線通信機の設定機能によって、受信モードとフィルタ設定（ナローあるいはワイドなど。）から適切なフィルタが選択されるように構成されていた。
その後、ＤＳＰで形成されるＩＦフィルタではなく、ルーフィングフィルタと呼ばれる中間周波増幅段（以後、単に「ＩＦ段」という。）のフィルタで数種類の帯域幅のフィルタを実装する高級機が登場した。そこで、中級機においては、数種類の帯域幅のフィルタを実装する代りに挟帯域のフィルタを追加できるオプション機能を備える構成が可能である。
そのようなオプション機能を備えた中級機においては、オプションで追加挟帯域のフィルタを装着したことを当該無線通信機の設定機能などを用いて設定する操作が必要となる。
【０００３】
一方、ＤＳＰを用いていない従前の機種で標準実装されたＩＦフィルタの特性ズレを補正するためにフィルタキャリブレーションという技術があった。（例えば特許文献１参照。）この技術は、フィルタの帯域幅を検出するものであるが、目的は、中心周波数を正確に測定することであり、帯域幅付近の多くのポイントでレベルを検出している。そのため、帯域幅付近で周波数を一定のピッチで変更しつつ、その都度信号強度を検出する等、精密な検出を行っている。
なお、フィルタキャリブレーションでは、ＢＦＯ周波数を変化させながら送信レベルで測定する構成と、受信機においては受信信号を入力して受信レベルで測定する構成が知られている。
【０００４】
【特許文献１】特許第３６５２８２１号公報
【発明の開示】
【発明が解決しようとする課題】
【０００５】
ところが、上述した特許文献１に記載の技術では、装着され得るフィルタの帯域幅の種類が予め解っている条件において、フィルタの装着の有無を検出し、フィルタの帯域幅の種類を判別することを目的とする場合には、必要以上の負荷を要することとなった。
【０００６】
そこで、本発明は、装着され得るフィルタの帯域幅の種類が予め解っている条件において、フィルタの装着の有無を検出し、フィルタの帯域幅の種類を判別することを目的とするものであり、特に、装着され得るフィルタの帯域の種類が予め想定できるという条件を生かして、必要最低限の負荷で、効率よく実現することを目的としてなされたものである。
【課題を解決するための手段】
【０００７】
本発明にかかる請求項１のフィルタ検出方法は、
所定の帯域幅の第１フィルタと第１フィルタより広い帯域幅の第２フィルタの何れか１つを装着し得るオプションフィルタ装着部を備え、前記オプションフィルタ装着部に装着されたフィルタを通過した信号を増幅する増幅部と、前記増幅された信号の信号レベルを検出するレベル検出部とを備えた増幅回路におけるフィルタ検出方法であって、
第１フィルタの帯域幅外であって且つ第２フィルタの帯域内の第１周波数の信号を前記増幅部に入力し、
前記第１周波数の信号が入力されたときに前記レベル検出部で検出された信号レベルが、所定の第１基準信号レベル以下のときには前記第１フィルタが装着されていると判定し、前記検出された信号レベルが、所定の第１基準信号レベルより大きいときには前記第２フィルタが装着されていると判定することを特徴としている。
本発明にかかる請求項２のフィルタ検出装置においては、
所定の帯域幅の第１フィルタと第１フィルタより広い帯域幅の第２フィルタの何れか１つを装着し得るオプションフィルタ装着部を備え、前記オプションフィルタ装着部に装着されたフィルタを通過した信号を増幅する増幅部と、前記増幅された信号の信号レベルを検出するレベル検出部とを備えた増幅回路におけるフィルタ検出装置であって、
第１フィルタの帯域幅外であって且つ第２フィルタの帯域内の第１周波数の信号を前記増幅部に入力する第１信号入力手段と、
前記第１周波数の信号が入力されたときに前記レベル検出部で検出された信号レベルが、所定の第１基準信号レベルより小さいときには前記第１フィルタが装着されていると判定し、前記検出された信号レベルが、所定の基準信号レベル以上のときには前記第２フィルタが装着されていると判定する判定手段と、
を備えていることを特徴とする。
請求項３では、さらに、
第１フィルタの帯域幅内の第２周波数の信号を前記増幅部に入力する第２信号入力手段と、
前記第２周波数の信号が入力されたときに前記レベル検出部で検出された信号レベルが、所定の第２基準信号レベルより小さいときには前記第１、第２フィルタの何れも装着されていないと判定し、前記検出された信号レベルが、所定の第２基準信号レベル以上のときには前記第１、第２フィルタの何れかが装着されていると判定する第２判定手段と、
を備えている。
なお、前記第１周波数の信号もしくは第２周波数の信号の何れかを択一的に切り換えて入力可能な信号入力手段を備えてもよい。
請求項４では、前記増幅回路は、周波数変換部を備えた中間周波回路であり、前記増幅部は、中心周波増幅部である。
請求項５では、前記第１基準信号レベルは、前記第２周波数の信号が入力されたときに前記レベル検出部で検出された信号レベルから所定の値を減じた値である。
【発明の効果】
【０００８】
本発明にかかる請求項１のフィルタ検出方法によれば、
第１フィルタの帯域幅外であって且つ第２フィルタの帯域内の第１周波数の信号を前記増幅部に入力して、前記レベル検出部で検出された信号レベルが、所定の第１基準信号レベルより小さいときには前記第１フィルタが装着されていると判定し、前記検出された信号レベルが、所定の基準信号レベル以上のときには前記第２フィルタが装着されていると判定できるので、何れかのフィルタが装着されている場合に、いずれのフィルタかを簡単な処理で判定することができる。
本発明にかかる請求項２のフィルタ検出装置によれば、
第１フィルタの帯域幅外であって且つ第２フィルタの帯域内の第１周波数の信号を前記増幅部に入力して、前記レベル検出部で検出された信号レベルが、所定の第１基準信号レベルより小さいときには前記第１フィルタが装着されていると判定し、前記検出された信号レベルが、所定の基準信号レベル以上のときには前記第２フィルタが装着されていると判定できるので、何れかのフィルタが装着されている場合に、いずれのフィルタかを簡単な処理で判定することができる。
請求項３では、さらに、
第１フィルタの帯域幅内の第２周波数の信号を前記増幅部に入力し、前記第２周波数の信号が入力されたときに前記レベル検出部で検出された信号レベルが、所定の第２基準信号レベルより小さいときには前記第１、第２フィルタの何れも装着されていないと判定し、前記検出された信号レベルが、所定の第２基準信号レベル以上のときには前記第１、第２フィルタの何れかが装着されていると判定できるので、第１もしくは第２のフィルタの何れかが装着されているか否かが不明な場合であっても、何れかが装着されているか否かを、簡単な処理で判定することができる。
さらに、第１周波数の信号を入力することによって、いずれのフィルタが装着されているかを簡単な処理で判定することができる。
請求項４では、前記増幅回路は、周波数変換部を備えた中間周波回路であり、前記増幅部は、中心周波増幅部であるので、周波数ヘテロダイン方式の無線通信機に採用して、前記効果を得ることができる。
請求項５では、前記第１基準信号レベルを、前記第２周波数の信号が入力されたときに前記レベル検出部で検出された信号レベルから所定の値を減じた値としたので、第１、第２のフィルタに関する識別能力が向上する。
【発明を実施するための最良の形態】
【０００９】
以下に、本発明にかかるフィルタ検出装置を、その実施の形態を示した図面に基づいて詳細に説明する。
【実施例１】
【００１０】
図１は、本発明に係るフィルタ検出装置を採用した実施例１としての無線通信機Ｍの要部のブロック図である。
図１において、
１はアンテナ、２は周波数変換部、３は前記周波数変換部２に入力する局発信号を生成する局発部、４は前記周波数変換部２から出力されるＩＦ信号を濾波するルーフィングフィルタ段、５は前記ルーフィングフィルタ段４から出力されるＩＦ信号を復調するＤＳＰを含む復調回路である。
前記ルーフィングフィルタ段４には、標準実装された帯域幅が15ｋＨｚの標準フィルタ４０と、オプションフィルタを装着し得る第１のオプションフィルタ装着部４１と、第２のオプションフィルタ装着部４２と、中間周波増幅部４３とを備えている。また、前記標準フィルタ４０もしくは、前記第１のオプションフィルタ装着部４１に装着されたフィルタ、もしくは第２のオプションフィルタ装着部４２に装着されたフィルタの何れかを択一的に選択するフィルタ選択手段４４を備えている。
【００１１】
前記復調回路５には、前記ルーフィングフィルタ段４から出力されるＩＦ信号の信号レベルを検出するＳメータレベル検出部５１を備えている。この復調回路５はＤＳＰで構成されているため、入力される周波数の帯域を制限することが好ましく、そのためのルーフィングフィルタとして前記ルーフィングフィルタ段４には帯域幅が15ｋＨｚの標準フィルタ４０が備えられている。さらに、ユーザの好みで選択できるようにオプションフィルタ装着部を２つ備えている。このオプションフィルタ装着部には、帯域幅が３ｋＨｚの第１フィルタと、帯域幅が６ｋＨｚの第２フィルタとの何れかを装着することができる。ここで、第１フィルタ及び第２フィルタの中心周波数は標準フィルタの中心周波数と同一である。
ルーフィングフィルタとしては、帯域幅が狭いほどインバンドＩＭＤが改善されるが、ＤＳＰに入力される信号に与える減衰量が増えるため、受信感度が落ちることになる。また、ＦＭ受信モードでは15ｋＨｚ以上、ＡＭ受信モードでは６ｋＨｚ以上というように、各通信モードに応じて最低限必要な帯域幅が解っているので、ユーザは、好みに応じたオプションフィルタを前記オプションフィルタ装着部に装着して使用することができる。
【００１２】
６はマーカー信号発生手段であり、例えば100Ｈｚ，200Ｈｚ，300Ｈｚ，・・・・等、複数の周波数成分を有する信号を発生させる。ここでは、100Ｈｚ刻みの周波数成分を有する信号をマーカー信号として発生させ、無線通信機と有線接続された状態でマーカー信号を無線通信機に入力する。なお、別途備えたＳＧ（標準信号発生器）から入力された受信信号をマーカー信号として使用することや、無線通信機内でマーカー信号を発生させる構成を備えることも可能である。
【００１３】
７はＣＰＵを内蔵した制御回路であり、通常受信モードと設定モードの何れかのモードがユーザによって選択指定されるとそれに応じて前記ルーフィングフィルタ段４及び前記復調回路５を制御する。
電源投入後には通常受信モードが自動的に選択指定され、このモードでは、標準フィルタ４０が選択されて通常の受信動作が行われる。
ユーザが、設定ボタンを操作したり、特殊な操作を行うことによって設定モードが選択指定されると、前記制御回路７は、後述する制御フローチャートに沿ってオプションフィルタの装着の有無の判定と、装着されたオプションフィルタの種類の判定を自動的に行い、判定されたオプションフィルタの種類に応じた受信動作を行う。
ここでは、前記２つのオプションフィルタ装着部４１、４２へ装着され得るフィルタとして帯域幅が３ｋＨｚの第１フィルタと、帯域幅が６ｋＨｚの第２フィルタの何れかが、前記制御回路７には設定登録されている。
なお、前記ルーフィングフィルタ段４と前記中間周波増幅部４３と前記復調回路５とで特許請求の範囲に記載された増幅回路を構成し、前記中間周波増幅部４３は特許請求の範囲に記載された増幅部を構成している。
そして、前記周波数変換部２及び前記局発部３は、特許請求の範囲に記載された第１信号入力手段、第２信号入力手段に相当し、前記制御回路７は、特許請求の範囲に記載された判定手段及び第２判定手段に相当し、前記Ｓメータレベル検出部５１は、特許請求の範囲に記載されたレベル検出部に相当する構成である。
【００１４】
図２、３、４は、前記制御回路７における制御フローチャートである。
図２、３、４において、
ユーザが、設定ボタンを操作したり、特殊な操作を行うことによって設定モードが選択指定されると、まず、ステップＳ１において、初期設定が行われる。この初期設定では、表示周波数が第２周波数として、標準フィルタ通過帯域の中心周波数（＝第１フィルタの中心周波数＝第２フィルタの中心周波数）に設定される。ここで、標準フィルタ通過帯域の中心周波数を例えば14.100ＭＨｚとする。この表示周波数は、当該無線通信機のディスプレイに表示される周波数であり、標準受信モードでは受信周波数である。つまり、ここで表示周波数として設定された値に応じて前記局発部２が生成する局発信号の発振周波数が決定される。
また、受信モードがＦＭ受信モードに設定される。また、マーカー機能がオンに設定され、アンテナ１からの受信信号が遮断され、マーカー信号発生手段６からのマーカー信号のみが入力されるので、マーカー信号以外の受信信号の影響を防ぐことができる。
ここでは、フィルタ選択手段４４を制御して、ＩＦフィルタとしては標準フィルタ４０が選択される。
【００１５】
ステップＳ２では、前記Ｓメータレベル検出部５１にて検出される信号レベルＳlevelを標準レベルＳｃとして取得する。
ステップＳ３では、前記標準レベルＳｃが所定のしきい値Ｓ３より大きいことを確認する。もし、前記標準レベルＳｃが所定のしきい値Ｓ３以下の場合は何らかのエラーとして終了する。
ステップＳ４では、オプションフィルタの装着の有無を確認するために、前記フィルタ選択手段４４を制御して、第１のオプションフィルタ装着部４１が選択される。
ステップＳ５では、前記Ｓメータレベル検出部５１にて検出される信号レベルＳlevelを第１検出レベルＳopt1として取得する。
ステップＳ６では、前記第１検出レベルＳopt1が第２基準信号レベル（＝Ｓｃ−６ｄＢ）より大きいか否かを判定する。
Ｓopt1＞Ｓｃ−６ｄＢの場合は、ステップＳ７へ進み、そうでない場合は、ステップＳ８へ進む。ステップＳ８では、第１のオプションフィルタ装着部４１には有効なフィルタが装着されていないと判断して、ステップＳ１３へ進み、第２のオプションフィルタ装着部４２へのフィルタの装着の有無を判定する。
【００１６】
ステップＳ７では、第１のオプションフィルタ装着部４１には何らかの有効なフィルタが装着されていると判断できるので、設定変更を行い、局発部３の発振周波数を変更して、表示周波数を第１周波数として第２周波数から３ｋＨｚずらした14.103ＭＨｚが設定される。ここで、第１周波数（＝14.103ＭＨｚ）は第１フィルタの帯域外で、且つ第２フィルタの帯域内の周波数である。
ステップＳ９では、前記Ｓメータレベル検出部５１にて検出される信号レベルＳlevelを第２検出レベルＳopt1'として取得する。
【００１７】
ステップＳ６では、前記第２検出レベルＳopt1'が第１基準信号レベル（＝Ｓopt1−６ｄＢ）より大きいか否かを判定する。
Ｓopt1'＞Ｓopt1−６ｄＢの場合は、ステップＳ１１へ進み、そうでない場合は、ステップＳ１２へ進む。ステップＳ１２では、第１のオプションフィルタ装着部４１には帯域幅３ｋＨｚの第１フィルタが装着されていると判断できる。
ステップＳ１１では、第１のオプションフィルタ装着部４１には帯域幅６ｋＨｚの第２フィルタが装着されていると判断できる。
このようにして、第１のオプションフィルタ装着部４１に装着されているフィルタの種類が第１フィルタであるか第２フィルタであるかを判断することができるのである。
ここで、前記第１基準信号レベルは、前記第２周波数の信号が入力されたときに前記レベル検出部で検出された信号レベル（＝Ｓopt1）から所定の値（＝６ｄＢ）を減じた値となっている。
【００１８】
次に、ステップＳ１３以降では、第２のオプションフィルタ装着部４２に装着されているフィルタの有無とその種類を判断する。
ステップＳ１３では、前記フィルタ選択手段４４を制御して、第２のオプションフィルタ装着部４２が選択される。
ステップＳ１４では、設定変更により、局発部３の発振周波数が変更されて、表示周波数が14.100ＭＨｚに設定される。
ステップＳ１５では、前記Ｓメータレベル検出部５１にて検出される信号レベルＳlevelを第３検出レベルＳopt2として取得する。
ステップＳ１６では、前記第３検出レベルＳopt2が、前記第２基準信号レベル（＝Ｓｃ−６ｄＢ）より大きいか否かを判定する。Ｓopt2＞Ｓｃ−６ｄＢの場合は、ステップＳ１７へ進み、そうでない場合は、ステップＳ１８へ進む。ステップＳ１８では、第２のオプションフィルタ装着部４２には有効なフィルタが装着されていないと判断して終了する。
【００１９】
ステップＳ１７では、第２のオプションフィルタ装着部４２には何らかの有効なフィルタが装着されていると判断できるので、設定変更を行い、局発部３の発振周波数を変更して、表示周波数を３ＫＨｚずらすと14.103ＭＨｚが設定される。
ステップＳ１９では、前記Ｓメータレベル検出部５１にて検出される信号レベルＳlevelを第４検出レベルＳopt2'として取得する。
【００２０】
ステップＳ２０では、前記第２検出レベルＳopt2'が、前記第１基準信号レベル（＝Ｓopt2−６ｄＢ）より大きいか否かを判定する。Ｓopt2'＞Ｓopt2−６ｄＢの場合は、ステップＳ２１へ進み、そうでない場合は、ステップＳ２２へ進む。ステップＳ２２では、第２のオプションフィルタ装着部４２には帯域幅３ｋＨｚの第１フィルタが装着されていると判断できる。
ステップＳ２１では、第２のオプションフィルタ装着部４２には帯域幅６ｋＨｚの第２フィルタが装着されていると判断できる。
このようにして、第２のオプションフィルタ装着部４２に装着されているフィルタの種類が第１フィルタであるか第２フィルタであるかを判断することができるのである。
【００２１】
以上のようにして、本発明によれば、オプションフィルタ装着部にフィルタが装着されているか否かを自動的に判定できるとともに、装着されていると判定した場合には、装着されているフィルタが帯域幅が狭い方のフィルタか広い方のフィルタかを自動的に判定することができる。
したがって、前記制御回路７は、以上のようにして判定されたフィルタの種類に応じて前記復調回路５の動作を適切な動作に制御する。
【００２２】
実施例１では、前記復調回路５をＤＳＰで構成し、第１基準信号レベルをＳopt2−６ｄＢとし、第２基準信号レベルをＳopt1−６ｄＢとしたが、前記第１基準信号レベル、第２基準信号レベルは、以上のレベルに限定されるものではなく、実験や経験により決定することができる。
また、実施例１では、オプションフィルタとしては、第１、第２フィルタの２種類のフィルタを用いる例を示したが、予め帯域幅が解っていれば、２種類に限らず３種類以上のフィルタを自動的に検出することもできる。
その場合には、各フィルタを判別するために、例えば第１、２、３、４、・・・フィルタの各フィルタの帯域幅がＢ１，Ｂ２（＞Ｂ１），Ｂ３（＞Ｂ２），Ｂ４（＞Ｂ３），Ｂ５（＞Ｂ４），・・・・の場合で何れかのフィルタが装着されている場合、
周波数がＢ１とＢ２の間の周波数の信号を第１周波数の信号として入力して、
レベル検出部で検出された信号レベルが、所定の第１基準信号レベル以下のときには判定手段では、前記第１フィルタが装着されていると判定し、前記検出された信号レベルが、所定の第１基準信号レベルより大きいときには前記第２フィルタ以降の何れかが装着されていると判定し、
周波数がＢ２とＢ３の間の周波数の信号を第２周波数の信号として入力して、
レベル検出部で検出された信号レベルが、所定の第１基準信号レベル以下のときには判定手段では、前記第２フィルタが装着されていると判定し、前記検出された信号レベルが、所定の第１基準信号レベルより大きいときには前記第３フィルタ以降の何れかが装着されていると判定し、
周波数がＢ３とＢ４の間の周波数の信号を第３周波数の信号として入力して、
レベル検出部で検出された信号レベルが、所定の第１基準信号レベル以下のときには判定手段では、前記第２フィルタが装着されていると判定し、前記検出された信号レベルが、所定の第１基準信号レベルより大きいときには前記第３フィルタ以降の何れかが装着されていると判定し、
周波数がＢ４とＢ５の間の周波数の信号を第４周波数の信号として入力して、
レベル検出部で検出された信号レベルが、所定の第１基準信号レベル以下のときには判定手段では、前記第３フィルタが装着されていると判定し、前記検出された信号レベルが、所定の第１基準信号レベルより大きいときには前記第４フィルタ以降の何れかが装着されていると判定し、以下同様に、そのフィルタが装着されているかを判定することができる。
そして、標準フィルタ及び各オプションフィルタの中心周波数が異なる場合でも、各オプションフィルタの通過帯域が予め解っていれば、どのフィルタが装着されているのかを判別することができる。
【図面の簡単な説明】
【００２３】
【図１】本発明にかかるフィルタ検出装置を採用した無線通信機の実施の形態のブロック図である。
【図２】前記無線通信機におけるフローチャート（一部）である。
【図３】前記無線通信機におけるフローチャート（一部）である。
【図４】前記無線通信機におけるフローチャート（一部）である。
【符号の説明】
【００２４】
Ｍ  無線通信機
１  アンテナ
２  周波数変換部
３  局発部
４  ルーフィングフィルタ段
５  復調回路
４０  標準フィルタ
４１  第１のオプションフィルタ装着部
４２  第２のオプションフィルタ装着部
４３  中間周波増幅部
４４  フィルタ選択手段
５１  Ｓメータレベル検出部
６  マーカー信号発生手段
７  制御回路
【図１】
2010154423.tif 000003
【図２】
2010154423.tif 000004
【図３】
2010154423.tif 000005
【図４】
2010154423.tif 000006